(57)【要約】      （修正有）【課題】吊り固定の取付角度の三次元的な調整が可能である配管用支持金具を提供する。【解決手段】天井又は壁面の如き取付面から配管を斜め方向から吊り固定する支持金具において、支持金具本体に止具が回動可能に取付けられ、該止具はボルト又はナットから成ると共に、前記支持金具本体との被取付部である端部に鍔部を有しており、該鍔部の前記支持金具本体との接触面が彎曲状を有しており、配管を斜め方向から吊り固定する際の取付角度可変構成であることを特徴とする配管用支持金具である。【選択図】図１
0003148943.tif 000002
【実用新案登録請求の範囲】
【請求項１】
天井又は壁面の如き取付面から配管を斜め方向から吊り固定する支持金具において、
支持金具本体に止具が回動可能に取付けられ、該止具はボルト又はナットから成ると共に、前記支持金具本体との被取付部である端部に鍔部を有しており、該鍔部の前記支持金具本体との接触面が彎曲状を有しており、配管を斜め方向から吊り固定する際の取付角度可変構成であることを特徴とする配管用支持金具。
【請求項２】
支持金具本体が配管を抱持支持するバンドであり、止具がナットであることを特徴とする請求項１に記載の配管用支持金具。
【請求項３】
支持金具本体が配管を抱持支持するバンドを支持するタンバックルであり、止具がナットであることを特徴とする請求項１に記載の配管用支持金具。
【請求項４】
支持金具本体が、天井又は壁面の如き取付面に固定される固定金具であり、止具がボルトであることを特徴とする請求項１に記載の配管用支持金具。
【請求項５】
支持金具本体が、天井又は壁面の如き取付面に固定される固定金具であり、止具がナットであることを特徴とする請求項１に記載の配管用支持金具。
【考案の詳細な説明】
【技術分野】
【０００１】
本考案は配管用支持金具に関し、詳しくは天井スラブ等の取付面に、水道管、ガス管、冷・暖房管等の各種配管を斜め方向から吊り固定する配管用支持金具に関する。
【背景技術】
【０００２】
天井スラブ・壁面・床スラブ等の取付面に吊りボルト等の支持部材による吊下又は立て支持に加えて、前記取付け面から斜めに垂設又は張設した防振杆を付加すること等によって２点支持乃至は３点支持して防振（防震）構造とした技術としては、例えば、特許文献１に記載のものが知られている。
【０００３】
しかし、特許文献１に記載の技術では、配管支持具本体への防振杆の係合角度が一定角度（約４５度）であることから、吊下長さ又は立ち長さによって防振杆の取付面への固定位置が限定されてしまうという欠点を有している。従って、当該配管に沿って平行、或いは交差して配設される他の配管類等の位置によっては施工作業が煩雑となるだけでなく、効果的な防振支持を行うことができないという欠点を有している。
【０００４】
そこで本出願人は、配管支持具本体への防振杆の取付角度が調整可能な防振配管支持具を先に提案した（特許文献２）。
【０００５】
この先提案技術は、配管支持具本体の配管抱持部に該配管抱持部に対する掛止角度が調整可能な掛止部を掛止し、この掛止部に防振杆の一端が係合される透孔を設けた構成を有するものである。
【０００６】
【特許文献１】実開昭６１−１６６２８５号
【特許文献２】実用新案登録第２５２４３４０号
【考案の開示】
【考案が解決しようとする課題】
【０００７】
本考案者は、防振配管支持具について更に研究を続けた結果、先提案技術では防振杆の取付角度を調整できるものであったが、その調整は二次元的な調整のみ、即ち、配管軸に直交し且つ配管径と略同心円の円弧方向における角度調整のみであることから、吊り固定する際に様々な取付角度に柔軟に対応するためには前記円弧方向のみならず配管軸方向にも同時に角度調整できる三次元的な調整が必要であることが判った。
【０００８】
そこで本考案の課題は、吊り固定の取付角度の三次元的な調整が可能である配管用支持金具を提供することにある。
【課題を解決するための手段】
【０００９】
上記課題を解決する本考案は下記構成を有する。
【００１０】
１．天井又は壁面の如き取付面から配管を斜め方向から吊り固定する支持金具において、
支持金具本体に止具が回動可能に取付けられ、該止具はボルト又はナットから成ると共に、前記支持金具本体との被取付部である端部に鍔部を有しており、該鍔部の前記支持金具本体との接触面が彎曲状を有しており、配管を斜め方向から吊り固定する際の取付角度可変構成であることを特徴とする配管用支持金具。
【００１１】
２．支持金具本体が配管を抱持支持するバンドであり、止具がナットであることを特徴とする上記１に記載の配管用支持金具。
【００１２】
３．支持金具本体が配管を抱持支持するバンドを支持するタンバックルであり、止具がナットであることを特徴とする上記１に記載の配管用支持金具。
【００１３】
４．支持金具本体が、天井又は壁面の如き取付面に固定される固定金具であり、止具がボルトであることを特徴とする上記１に記載の配管用支持金具。
【００１４】
５．支持金具本体が、天井又は壁面の如き取付面に固定される固定金具であり、止具がナットであることを特徴とする上記１に記載の配管用支持金具。
【考案の効果】
【００１５】
請求項１に示す考案によれば、吊り固定の取付角度の三次元的な調整が可能である配管用支持金具を提供することができる。
【００１６】
特に、支持金具本体に取付けられた止具が該支持金具本体との接触面が彎曲状に形成されているので該止具のナット部又はボルト部が三次元的な動きである首振り可能となるため、様々な角度に吊り固定状態を調整することができる。
【００１７】
請求項２に示す考案によれば、配管を抱持支持するバンドに止具を取付ける構成により、吊り固定するための支持杆等と支持金具本体との連結が強固となるため、強い揺れや振れ（激震）に対しても充分な強度を得ることができる。
【００１８】
請求項３に示す考案によれば、吊り固定するための支持杆等を連結する支持金具本体がタンバックルである構成により、簡単な構造で高い強度を得ることができる。しかも、タンバックルである支持金具本体に取付ける配管支持具は汎用品を用いることができる。
【００１９】
請求項４又は５に示す考案によれば、天井又は壁面の如き取付面に取付ける支持杆の角度を三次元的に調整することが可能となるので配管支持具の吊り固定位置の融通性を高めることができる。
【考案を実施するための最良の形態】
【００２０】
本考案に係る配管用支持金具の詳細について、添付の図面に基き説明する。
【００２１】
図１は本考案に係る配管用支持金具の第１実施例を示す３面図（正面図、平面図、左側面図）、図２は図１の配管用支持金具の使用状態の一例を示す正面図、図３は本考案に係る配管用支持金具の第２実施例を示す３面図（正面図、平面図、左側面図）、図４は図３の配管用支持金具の使用状態の一例を示す正面図、図５は本考案に係る配管用支持金具の第３実施例の使用状態の一例を示す正面図、図６は本考案に係る配管用支持金具の第４実施例の使用状態の一例を示す正面図である。
【００２２】
先ず、本考案に係る配管用支持金具の第１実施例について図１及び図２に基き説明する。
【００２３】
本考案に係る配管用支持金具１の第１実施例は、図１に示すような具体的構成を有し、使用に際しては図２に示すように、配管Ｐを抱持支持した状態で天井又は壁面の如き取付面（本実施例では天井）２から吊りボルト３等で吊下支持されると共に、一端が前記取付面２に取付けられる支持杆４の他端を取付けることで防振状態で配管Ｐを吊り固定する構成を有するものである。
【００２４】
第１実施例に示す配管用支持金具１の具体的構成としては、該配管用支持金具１は、支持金具本体１１と止具１２とを主構成とし、支持金具本体１１は配管Ｐを抱持支持するバンドであり、止具１２はナットであり、支持金具本体１１に止具１２が回動可能に取付けられ、該止具１２は前記支持金具本体１１との被取付部である端部に鍔部１２Ａを有しており、該鍔部１２Ａの前記支持金具本体１１との接触面が彎曲状を有しており、配管Ｐを斜め方向から吊り固定する際の取付角度可変構成を有するものである。
【００２５】
第１実施例の支持金具本体１１は上記したようにバンドであり、図２に示すように、バンド端部１１Ａにタンバックルの如き取付部材５がボルト・ナット５１により取付けられ、該取付部材５が吊りボルト３に取付けられることで配管Ｐを防振状態で取付面２から吊り固定するものである。
【００２６】
第１実施例の支持金具本体１１の構成は、本実施例に示す蝶番式に限らず、この種の配管支持具として公知公用の構成を特別の制限無く採ることができ、例えば、組式や提灯式の構成であってもよく、また材質についても金属、合成樹脂等、この種の配管支持具として公知公用の材質を特別の制限無く挙げることができる。また、取付部材５としては、本実施例のタンバックルに限らず、この種の吊下型の配管支持具の取付部材として公知公用のものを特別の制限無く用いることができる。
【００２７】
第１実施例の止具１２は上記したようにナットであり、図１に示すように支持金具本体１１のバンド部分の外面に沿うと共に外側に突出する突出囲込部１１Ｂに穿設された透孔１１Ｃに回転自在且つ角度可変状態に取付けられ、図２に示すように支持杆４の他端が螺合固定されることで配管Ｐを抱持支持すると吊りボルト３で吊り固定された支持金具本体１１を防振状態で吊り固定するものである。
【００２８】
止具１２の角度可変構成は、彎曲状の接触面を有する鍔部１２Ａが該鍔部１２Ａの表面である彎曲状の接触面の支持金具本体１１との接触位置を適宜変えることで該支持金具本体１１に対する角度を変える構成である。
【００２９】
尚、止具１２の角度可変状態について、図１に示す点線の矢符は該止具１２の角度可変である方向の一部を示しており矢符と矢符との間については無段階状態で角度を変えることができ、各矢符先端を結ぶ点線で示す３６０度の範囲で角度を変えることができる。即ち、３６０度の全周に亘って首振り状態で角度を変えることができる。従って、吊り固定を行う支持杆４との角度を三次元的に調整することが可能である。
【００３０】
第１実施例の止具１２は、回転自在且つ角度可変状態を維持したままで突出囲込部１１Ｂに穿設された透孔１１Ｃから脱落しないように取付けられていればよく、ナットである止具１２の脱落防止構成としては、この種の配管支持具においてナット部材を脱落防止状態で且つ回転自在に取付ける構成として公知公用の構成を特別の制限無く採ることができる。
【００３１】
次に、本考案に係る配管用支持金具の第２実施例について図３及び図４に基き説明する。
【００３２】
本考案に係る配管用支持金具１の第２実施例は、図３に示すような具体的構成を有し、使用に際しては図４に示すように、天井又は壁面の如き取付面（本実施例では天井）２に固定されて垂設される支持杆４に、配管Ｐを抱持した配管支持具６を吊り固定する構成を有するものである。
【００３３】
第２実施例に示す配管用支持金具１の具体的構成としては、該配管用支持金具１は、支持金具本体１１と止具１２とを主構成とし、支持金具本体１１は配管Ｐを抱持する配管支持具６を吊り固定するタンバックルであり、止具１２はナットであり、支持金具本体１１に止具１２が回動可能に取付けられ、該止具１２は前記支持金具本体１１との被取付部である端部に鍔部１２Ａを有しており、該鍔部１２Ａの前記支持金具本体１１との接触面が彎曲状を有しており、配管Ｐを斜め方向から吊り固定する際の取付角度可変構成を有するものである。
【００３４】
上記したように、第２実施例の支持金具本体１１はタンバックルであり、止具１２はナットであり、図３に示すように支持金具本体１１の頂部板１１Ｄに穿設された透孔１１Ｅに止具１２が回転自在且つ角度可変状態に取付けられた構成を有している。
【００３５】
支持金具本体１１と止具１２とを主構成とする第２実施例の配管用支持金具１は、図４に示すように、配管Ｐを抱持した配管支持具６のバンド端部６１を支持金具本体１１の支持部１１Ｆにボルト・ナット６２により固定し、止具１２に支持杆４の他端を螺合固定することで、配管Ｐを防振状態で取付面２から吊り固定するものである。
【００３６】
尚、止具１２の角度可変構成は、上記した第１実施例と同様に、彎曲状の接触面を有する鍔部１２Ａが該鍔部１２Ａの表面である彎曲状の接触面の支持金具本体１１との接触位置を適宜変えることで該支持金具本体１１に対する角度を変える構成である。
【００３７】
尚また、第２実施例の止具１２の角度可変状態についても上記第１実施例と同様に、図３に示す点線の矢符は該止具１２の角度可変である方向の一部を示しており矢符と矢符との間については無段階状態で角度を変えることができ、各矢符先端を結ぶ点線で示す３６０度の範囲で角度を変えることができる。即ち、３６０度の全周に亘って首振り状態で角度を変えることができる。従って、吊り固定を行う支持杆との角度を三次元的に調整することが可能である。
【００３８】
第２実施例の止具１２は、回転自在且つ角度可変状態を維持したままで頂部板１１Ｄに穿設された透孔１１Ｅから脱落しないように取付けられていればよく、ナットである止具１２の脱落防止構成としては、この種の配管支持具においてナット部材を脱落防止状態で且つ回転自在に取付ける構成として公知公用の構成を特別の制限無く採ることができる。
【００３９】
以上、本考案に係る防振配管支持具の第１実施例及び第２実施例について説明したが、本考案は上記実施例に限定されず、図５に示す第３実施例や図６に示す第４実施例の如き態様を採ることもできる。
【００４０】
上記した第１実施例は本考案の配管用支持金具１を配管Ｐを抱持支持する配管支持具自体として用いた態様であり、同様に上記した第２実施例は本考案の配管用支持金具１を支持杆４と配管支持具６との間に設けた態様であるが、第３実施例及び第４実施例はこれらとは異なり、本考案の配管用支持金具を天井又は壁面の如き取付面２に固定する支持杆固定具として用いる態様である。
【００４１】
図５に示す第３実施例は、支持金具本体１１が、天井又は壁面の如き取付面（本実施例では天井）２に固定される固定金具であり、止具１２がボルトである態様である。尚、図５において符号２１は支持金具本体１１を取付面２に固定するためのアンカーボルトの如き固定具である。
【００４２】
第３実施例の支持金具本体１１は図５に示すように円弧状を有し、該円弧状の部分に穿設された透孔（図示は省略）に、止具１２が回転自在且つ角度可変状態に取付けられた構成を有している。
【００４３】
止具１２を支持金具本体１１に取付けるには、支持金具本体１１を取付面２に固定する前に該支持金具本体１１に穿設された透孔に止具１２を予め挿通する構成の他、前記透孔を鍔部１２より大である大穴と鍔部１２より小である小穴とが連通された瓢箪形として大穴から止具１２の端部の鍔部１２Ａを挿通した後に小穴方向にずらすことで該透孔から止具１２が脱落しないようにした構成、支持金具本体１１の側端部の一部を切欠き、該切欠き部と前記透孔とを連通させることで該支持金具本体１１の側端部の切欠き部から止具１２を挿通する構成、その他、この種の配管支持具の分野で公知公用の挿通構成を特別の制限なく採ることができる。
【００４４】
第３実施例の止具１２は前記第１実施例及び第２実施例の支持杆４と同様の機能を果たすものであり、長尺状のボルトの端部である前記支持金具本体１１との被取付部に鍔部１２Ａを有しており、該鍔部１２Ａの前記支持金具本体１１との接触面が彎曲状を有していることで該鍔部１２Ａがその表面である彎曲状の接触面の支持金具本体１１との接触位置を適宜変えることで該支持金具本体１１に対する角度を変える構成である。
【００４５】
尚、第３実施例の止具１２の角度可変状態についても上記第１実施例及び第２実施例と同様に、３６０度の全周に亘って首振り状態で角度を変えることができる。従って、吊り固定の角度を三次元的に調整することが可能である。
【００４６】
図６に示す第４実施例は、支持金具本体１１が、天井又は壁面の如き取付面（本実施例では天井）２に固定される固定金具であり、止具１２がナットである態様である。尚、図５において符号２１は支持金具本体１１を取付面２に固定するためのアンカーボルトの如き固定具である。
【００４７】
第４実施例の支持金具本体１１は図６に示すように山形状を有し、該山形状の斜面部分に穿設された透孔（図示は省略）に、止具１２が回転自在且つ角度可変状態に取付けられた構成を有している。
【００４８】
第４実施例の止具１２は、支持杆４の一端を螺合固定することで該支持杆４を吊下げし、該支持杆４の他端にタンバックル等の取付部材を介して配管支持具を吊り固定することができるものである。そして、止具１２の端部である前記支持金具本体１１との被取付部には鍔部１２Ａを有しており、該鍔部１２Ａの前記支持金具本体１１との接触面が彎曲状を有していることで該鍔部１２Ａがその表面である彎曲状の接触面の支持金具本体１１との接触位置を適宜変えることで該支持金具本体１１に対する角度を変える構成である。
【００４９】
尚、第４実施例の止具１２の角度可変状態についても上記第１実施例、第２実施例及び第３実施例と同様に、３６０度の全周に亘って首振り状態で角度を変えることができる。従って、吊り固定の角度を三次元的に調整することが可能である。
【００５０】
以上、本考案に係る配管用支持金具について第１実施例〜第４実施例を挙げて説明したが、本考案は上記に限定されず、本考案の範囲内において種々の態様を採ることができる。
【００５１】
例えば、第１実施例、第２実施例及び第４実施例の止具１２はナットであるが、第３実施例に示したボルトであってもよい。
【００５２】
また、第３実施例及び第４実施例の支持金具本体１１は図示のような板材を折り曲げ形成した一枚構成に限らず、第１実施例に示した突出囲込部のような他の部材を付加することで止具１２を取付けるように構成することもできる。
【図面の簡単な説明】
【００５３】
【図１】本考案に係る配管用支持金具の第１実施例を示す３面図（正面図、平面図、左側面図）
【図２】図１の配管用支持金具の使用状態の一例を示す正面図
【図３】本考案に係る配管用支持金具の第２実施例を示す３面図（正面図、平面図、左側面図）
【図４】図３の配管用支持金具の使用状態の一例を示す正面図
【図５】本考案に係る配管用支持金具の第３実施例の使用状態の一例を示す正面図
【図６】本考案に係る配管用支持金具の第４実施例の使用状態の一例を示す正面図
【符号の説明】
【００５４】
１  防振配管支持具
１１  支持金具本体
１１Ａ  バンド端部
１１Ｂ  突出囲込部
１１Ｃ  透孔
１１Ｄ  頂部板
１１Ｅ  透孔
１１Ｆ  支持部
１２  止具
１２Ａ  鍔部
２  取付面
２１  固定具
３  吊りボルト
４  支持杆
５  取付部材
５１  ボルト・ナット
６  配管支持具
６１  バンド端部
６２  ボルト・ナット
Ｐ  配管
【図１】
0003148943.tif 000003
【図２】
0003148943.tif 000004
【図３】
0003148943.tif 000005
【図４】
0003148943.tif 000006
【図５】
0003148943.tif 000007
【図６】
0003148943.tif 000008